(57)【特許請求の範囲】
【請求項１】
電気的に駆動される電気駆動弁にて水路を開閉するとともに、開弁後に水路の積算流量が設定流量に達したところで該電気駆動弁を閉弁させる定量止水装置であって、
前記電気駆動弁は、その開弁を手動操作で非電気的に行うもので且つ開弁後に開弁保持し、その後に電気的に閉弁するものとなす一方、前記水路の水流で回転する水車を備えた発電機を設けて該水車の回転に基づいて発電を行うとともに該水車の回転数に応じたパルスを発生させ、該パルスのカウントにより該水路の積算流量を検知して設定値に達したところで制御部の制御の下に前記電気駆動弁に閉弁のための駆動電力を供給し、給水の開始については前記手動操作で行うとともに、給水開始以後の水量の定量検知，前記電気駆動弁の閉弁による給水停止までを自動で行うようになしてあることを特徴とする半自動定量止水装置。
【請求項２】
請求項１において、前記電気駆動弁が電磁弁であることを特徴とする半自動定量止水装置。
【請求項３】
請求項１，２の何れかにおいて、前記発電機で発生した電力を蓄電する蓄電手段を設けて、該蓄電手段を電源として前記電気駆動弁を閉弁させるようになしたことを特徴とする半自動定量止水装置。
【請求項４】
請求項３において、前記蓄電手段がコンデンサであることを特徴とする半自動定量止水装置。
【請求項５】
請求項１〜４の何れかにおいて、前記電気駆動弁が開弁後及び閉弁後において開弁及び閉弁状態を状態保持するラッチ式の弁となしてあることを特徴とする半自動定量止水装置。
【請求項６】
請求項１〜５の何れかにおいて、前記半自動定量止水装置が、便器に洗浄水を給水して便器洗浄を行う便器の洗浄装置であることを特徴とする半自動定量止水装置。
【請求項７】
請求項６において、前記便器の洗浄装置が前記電気駆動弁として、該便器のリムへの給水用のリム給水路の開閉を行うリム給水弁を有しており、該リム給水路の積算流量が設定流量に達したところで該リム給水弁を閉弁させるようになしてあることを特徴とする半自動定量止水装置。
【請求項８】
請求項６において、前記便器の洗浄装置が前記電気駆動弁として、該便器の排水トラップ部に向けて洗浄水をジェット噴射するジェット孔への給水用のジェット給水路の開閉を行うジェット給水弁を有しており、該ジェット給水路の積算流量が設定流量に達したところで該ジェット給水弁を閉弁させるようになしてあることを特徴とする半自動定量止水装置。
【請求項９】
請求項６において、前記便器の洗浄装置が前記電気駆動弁として、該便器のリムへの給水用のリム給水路の開閉を行うリム給水弁と、該便器の排水トラップ部に向けて洗浄水をジェット噴射するジェット孔への給水用のジェット給水路の開閉を行うジェット給水弁とを有しており、前記制御部が該リム給水弁の閉弁とジェット給水弁の開弁とを連動して行うようになしてあることを特徴とする半自動定量止水装置。
【請求項１０】
請求項９において、前記制御部が前記ジェット給水弁の閉弁と連動して前記リム給水弁の開弁を行うものとなしてあることを特徴とする半自動定量止水装置。
【発明の詳細な説明】
【０００１】
【発明の属する技術分野】
この発明は一定量の給水を行ったところで自動的に給水を停止する定量止水装置に関し、詳しくは水路を電磁弁等の電気駆動弁で開閉する形態の定量止水装置に関する。
【０００２】
【従来の技術】
従来より、各種の給水装置において一定量の給水を行ったところで自動的に給水を停止する定量止水装置が用いられている。
例えば浴室の洗い場の水栓等において、押ボタンの操作により吐水（給水）を開始し、そして風呂桶１杯分の吐水を行ったところで自動的に吐水停止するといったことが行われている。
或いはまた浴槽に給水を行うに際し、浴槽水が一定量溜まったところで、即ち浴槽に一定量の給水を行ったところで自動的に給水停止するといったことが行われている。
更にはまた、便器に洗浄水を給水して便器洗浄を行うフラッシュバルブ（便器の洗浄装置）においては、ボタン操作により給水開始すると一定量の給水を行って、その後自動的に給水停止するようになっている。
【０００３】
【発明が解決しようとする課題】
しかしながらこの種給水装置において従来用いられている定量止水装置は、給水量を機械的に計量するとともに、給水量が一定量に達したとき機械的に弁を閉弁するものとなっており、このため一定であるはずの給水量がばらついたりして精度の点で不十分であるといった問題の外、構造が複雑であって嵩高くなり、また構造が複雑であるために壊れ易く、またコストも高いといった問題があった。
【０００４】
【課題を解決するための手段】
本発明の定量止水装置はこのような課題を解決するために案出されたものである。
而して請求項１のものは、電気的に駆動される電気駆動弁にて水路を開閉するとともに、開弁後に水路の積算流量が設定流量に達したところで該電気駆動弁を閉弁させる定量止水装置であって、前記電気駆動弁は、その開弁を手動操作で非電気的に行うもので且つ開弁後に開弁保持し、その後に電気的に閉弁するものとなす一方、前記水路の水流で回転する水車を備えた発電機を設けて該水車の回転に基づいて発電を行うとともに該水車の回転数に応じたパルスを発生させ、該パルスのカウントにより該水路の積算流量を検知して設定値に達したところで制御部の制御の下に前記電気駆動弁に閉弁のための駆動電力を供給し、給水の開始については前記手動操作で行うとともに、給水開始以後の水量の定量検知，前記電気駆動弁の閉弁による給水停止までを自動で行うようになしてあることを特徴とする。
【０００５】
請求項２のものは、請求項１において、前記電気駆動弁が電磁弁であることを特徴とする。
【０００６】
請求項３のものは、請求項１，２の何れかにおいて、前記発電機で発生した電力を蓄電する蓄電手段を設けて、該蓄電手段を電源として前記電気駆動弁を閉弁させるようになしたことを特徴とする。
【０００７】
請求項４のものは、請求項３において、前記蓄電手段がコンデンサであることを特徴とする。
【０００８】
請求項５のものは、請求項１〜４の何れかにおいて、前記電気駆動弁が開弁後及び閉弁後において開弁及び閉弁状態を状態保持するラッチ式の弁となしてあることを特徴とする。
【０００９】
請求項６のものは、請求項１〜５の何れかにおいて、前記半自動定量止水装置が、便器に洗浄水を給水して便器洗浄を行う便器の洗浄装置であることを特徴とする。
【００１０】
請求項７のものは、請求項６において、前記便器の洗浄装置が前記電気駆動弁として、該便器のリムへの給水用のリム給水路の開閉を行うリム給水弁を有しており、該リム給水路の積算流量が設定流量に達したところで該リム給水弁を閉弁させるようになしてあることを特徴とする。
【００１１】
請求項８のものは、請求項６において、前記便器の洗浄装置が前記電気駆動弁として、該便器の排水トラップ部に向けて洗浄水をジェット噴射するジェット孔への給水用のジェット給水路の開閉を行うジェット給水弁を有しており、該ジェット給水路の積算流量が設定流量に達したところで該ジェット給水弁を閉弁させるようになしてあることを特徴とする。
【００１２】
請求項９のものは、請求項６において、前記便器の洗浄装置が前記電気駆動弁として、該便器のリムへの給水用のリム給水路の開閉を行うリム給水弁と、該便器の排水トラップ部に向けて洗浄水をジェット噴射するジェット孔への給水用のジェット給水路の開閉を行うジェット給水弁とを有しており、前記制御部が該リム給水弁の閉弁とジェット給水弁の開弁とを連動して行うようになしてことを特徴とする。
【００１３】
請求項１０のものは、請求項９において、前記制御部が前記ジェット給水弁の閉弁と連動して前記リム給水弁の開弁を行うものとなしてあることを特徴とする。
ここで連動とは、一方の弁の閉弁と同時に他方の弁の開弁を行う場合の外、一方の弁の閉弁の直前に他方の弁の開弁を行う場合も含む。
【００１４】
【作用及び発明の効果】
上記のように請求項１の定量止水装置は、水路の水流により回転する水車を設けて、その水車の回転数に応じてパルスを発生させ、パルスのカウントにより水路の積算流量を検知し、パルスの数が設定値に達したところで電気駆動弁を閉弁させて給水停止させるようになしたもので、この定量止水装置にあっては、水路の積算流量に比例してパルスのカウント数が増大することから、上記設定値を適正な値にしておくことで積算流量、即ち吐水流量が求める設定流量に達したところで確実に給水停止させることができる。
即ち精度を高く給水量を一定量に制御することができる。
【００１５】
また本発明では、発生したパルスの数に基づいて水路の積算流量を検知するようにしているため、定量止水装置を簡単な構造でコンパクトに構成でき、故障が少なく安価な装置として構成することができる。
更にまた上記水車をパルスの発生手段として用いるだけでなく、この水車を用いて発電機を構成しているため、電気駆動弁を閉弁作動させるための電力を、水路の水流を利用して水車の回転により発生させることができる。
【００１６】
また本発明では電気駆動弁について、その開弁を手動操作で機械的等非電気的に行うもので且つ開弁後に開弁保持し、その後に電気的に閉弁するものとなしてあり、これにより電気駆動弁を開閉させるための電源を不要化することが可能となって、定量止水装置の構成を更に簡略化できるとともに、定量止水装置の使用にあたって単に通水開始時だけ操作力を加えて給水開始させるだけで良く、一定量の給水が行われたところで自動的に給水停止させることができる。
即ち本発明の定量止水装置は、給水開始だけを手動操作にて行い、その後は給水停止までを自動で行う半自動の定量止水装置であるため、電気駆動弁を開閉させることで水路を開閉し、一定量の給水を行う装置であるにも拘らず、特別の電源や電気配線工事を不要化することができる。
尚本発明において、手動操作とは手による操作は勿論、足による操作その他人体の一部による操作を含む概念である。
【００１７】
本発明において、上記電気駆動弁は電磁弁となしておくことができる（請求項２）。
また本発明では、この発電機で発生した電力を蓄電する蓄電手段を設けておき、これを電源として上記電気駆動弁に対し閉弁のための駆動電力を供給するようになすことができる（請求項３）。
このようにしておけば、電気駆動弁を閉弁作動させるための特別の電源を別途に必要とせず、定量止水装置の構成を更に簡略化することができる。
【００１８】
ここで上記蓄電手段として、コンデンサを好適に用いることができる（請求項４）。
本発明においては上記電磁弁を、開弁後及び閉弁後において、電力供給の無い状態で開弁及び閉弁状態を状態保持するラッチ式の弁としておくことができる（請求項５）。
【００１９】
本発明の定量止水装置は、便器の洗浄装置として好適に用いることができる（請求項６）。
この場合、便器に対して確実に必要且つ適正量の洗浄水を供給して便器洗浄を良好に行うことができる。
【００２０】
この場合において電気駆動弁として、便器のリムへの給水用のリム給水路を開閉するリム給水弁を設けておき、そのリム給水弁の開閉によりリムに対して必要な水量で洗浄水を給水することができる。（請求項７）。
或いはまた電気駆動弁として、便器の排水トラップ部に向けて洗浄水をジェット噴射するジェット孔への給水用のジェット給水路を開閉するジェット給水弁を設けておき、そのジェット給水弁の開閉によりジェット孔に対して必要な水量で給水を行うことができる（請求項８）。
【００２１】
更にまた電気駆動弁として、リム給水弁とジェット給水弁とを設けておき、リム給水弁の閉弁とジェット給水弁の開弁とを連動して行うようになすことができる（請求項９）。
このようにすれば、リム給水とジェット給水とを適正なタイミングで切り替えることができ、便器洗浄をより効率的に行うことができる。
尚この場合においては、ジェット給水弁の閉弁と連動してリム給水弁の開弁を行うようになすことができる（請求項１０）。
【００２２】
【実施例】
次に本発明の実施例を図面に基づいて詳しく説明する。
図１において１０は定量止水装置（半自動定量止水装置）で、１２は水路であり先端に給水口１４が形成されている。
水路１２上には、電気駆動弁としての電磁弁１６と発電機１８とが設けてある。
発電機１８は水流にて回転する水車２０を有しており、その水車２０の回転に基づいて発電を行う。
【００２３】
本実施例ではまた、発電機１８における水車２０の回転により、その水車２０の回転数に応じたパルスを発生させる。
発生したパルスはパルスカウンタ２１でカウントされ、そしてそのパルス数が設定値に達したところで、コントローラ（制御部）２４から弁駆動部２６に閉弁信号が発せられ、電磁弁１６が閉弁作動させられる。
ここにおいて水路１２の通水が停止する。即ち給水口１４からの給水が停止する。
【００２４】
上記水車２０の回転によって発生するパルスは、水路１２の通水の積算流量に対応したものとなり、従ってパルス数が設定値に達したところで水路１２の通水を停止することにより、給水口１４から確実に設定した流量で給水を行うことができる。
【００２５】
尚この例では、発電機１８で発生した電力を蓄電する蓄電手段としてコンデンサ２２が用いられている。
而して上記電磁弁１６は、このコンデンサ２２を電源としてそこに供給された駆動電力により閉弁作動する。
但し蓄電手段としてコンデンサ２２以外のものを用いることも可能である。
【００２６】
図２は電磁弁１６の構成を具体的に表したものである。
この例において、電磁弁１６は開弁後において開弁状態を、また閉弁後において閉弁状態を、電力供給の無い状態でそれぞれ保持するラッチ式の弁である。
同図において２７はダイヤフラム式の主弁体であって、この主弁体２７が弁座２８に着座することで水路１２が遮断される。即ち上流側水路１２ａと下流側水路１２ｂとが非連通状態となる。
【００２７】
主弁体２７の背面側（図中上面側）には背圧室３０が形成されており、通常は主弁体２７はこの背圧室３０内部の圧力によって弁座２８に着座した状態にある。
この背圧室３０と下流側水路１２ｂとは、主弁体２７の中心部に形成された中心孔３２を通じて連通するようになっており、そしてその中心孔３２がプランジャ３３によって閉鎖されるようになっている。
【００２８】
主弁体２７は、プランジャ３３が図中上向きに移動すると背圧室３０内部の水が下流側水路１２ｂへと流れ出ることによって、即ち背圧室３０内部の圧力が低下することによって、上流側水路１２ａの給水圧により開弁作動する。
また一方プランジャ３３が図２中下降運動して中心孔３２が閉鎖されると、上流側水路１２ａ内の水が主弁体２７に形成した小孔を通じて背圧室３０内に流入し、これにより背圧室３０内部の圧力が高まって、最終的にその圧力により主弁体２７が閉弁作動する。
【００２９】
３４は電磁弁１６におけるソレノイドコイルであって、このソレノイドコイル３４による電磁的な反発力によってプランジャ３３が図中下向きに押し出される。
【００３０】
このプランジャ３３はスプリング３８により図中下向き、即ち閉弁方向に付勢されているとともに、開弁位置まで移動したとき、ケーシング３６内部に設けられたラッチマグネット４０の磁力により、スプリング３８の付勢力に抗してその開弁状態に保持される。
尚プランジャ３３は、閉弁位置まで移動した後においては、スプリング３８の付勢力によってその閉弁状態に保持される。
【００３１】
この例の電磁弁１６は手動操作部（操作棒）４２を有しており、その先端にマグネット４４が設けられているとともに、それらがスプリング４６によって図中上向き、即ちプランジャ３３から離れる方向に付勢されている。
ここで手動操作部４２はケーシング３６より上向きに突き出した状態となっている。
【００３２】
この例の電磁弁１６は、手動操作によって機械的に開弁可能なものである。
即ち、図２（Ｉ）に示す状態から手動操作部４２をスプリング４６の付勢力に抗して手，足等によって下向きに押し込むと、（II）に示しているようにマグネット４４によってプランジャ３３がスプリング３８の付勢力に抗して磁気的な吸引力により図中上向きに引き上げられる。すると主弁体２７の中心孔３２が背圧室３０に連通状態となって、背圧室３０の圧力が低下し、主弁体２７が開弁する。
【００３３】
また（III）に示しているように図中上方に引き上げられたプランジャ３３は、ラッチマグネット４０の磁力によって開弁位置に保持される。
即ち手動操作部４２を図中下向きに押し込むと、その後手動操作部４２がスプリング４６の付勢力で元の位置に戻ったとしてもプランジャ３３が開弁位置に保持され、水路１２が通水状態に保持される。
【００３４】
一方図２（III）の状態においてソレノイドコイル３４への通電が行われると、プランジャ３３が電磁的な反発力により図中下向きに押し出され、これにより主弁体２７の中心孔３２が閉鎖される。
その後背圧室３０内の圧力が徐々に高まって、最終的に主弁体２７が弁座２８に着座させられる。
ここにおいて水路１２が遮断された状態となって通水が停止する。即ち給水口１４からの給水が停止する。
【００３５】
以上のような本例の定量止水装置１０は、水車２０の回転数に応じてパルスを発生させ、パルス数が設定値に達したところで電磁弁１６を閉弁させて通水停止させるようになしてあるので、水路の積算流量、即ち吐水流量が求める流量に達したところで確実に給水停止することができる。即ち精度を高く給水量を一定量に制御することができる。
【００３６】
また本例では、発生したパルス数に基づいて水路１２の積算流量を検知しているため、定量止水装置１０を簡単な構造でコンパクトに構成でき、故障が少なく安価な装置として構成することができる。
【００３７】
更にまた水車２０はパルスの発生手段としてだけでなく発電機１８を構成しているので、電磁弁１６の閉弁時に必要な電力を水路１２の水流を利用して発生させることができる。
【００３８】
また本例の定量止水装置１０では、発電機１８で発生した電力をコンデンサ２２に蓄電し、これを電源として電磁弁１６に対し閉弁のための駆動電力を供給するようになっていることから、電磁弁１６を閉弁作動させるための特別の電源を別途に必要とせず、定量止水装置１０の構成を更に簡略化することができる。
【００３９】
更に電磁弁１６は、手動操作部４２で機械的に開弁し且つ開弁，閉弁状態を状態保持するラッチ式の弁となしてあるため、電磁弁１６を開閉させるための電源を一切不要化でき、定量止水装置１０の構成を更に簡略化できるとともに、定量止水装置１０の使用にあたって単に通水開始時だけ手動操作を行い給水開始させるだけで良く、その後は一定量の給水が行われたところで自動的に給水停止させることができる。
【００４０】
図３は定量止水装置を便器の洗浄装置４８として構成した例を示している。
同図において５０は便器で、上端周縁に沿ってリム５２を有している。
リム５２の内部にはリム水路５４が形成されており、またリム５２の下端面にはリム水路５４に連通する射水孔５６が周方向に所定間隔で形成されており、リム水路５４に導かれた洗浄水が、それら射水孔５６から便器５０内部に勢い良く射水され、これによって便鉢内部が洗浄されるようになっている。
５８は排水トラップ部６０に向けて洗浄水を勢い良く噴射するジェット孔で、このジェット孔５８からの洗浄水の噴射によって排水トラップ部６０が満水化し、サイホン作用が助勢される。
【００４１】
本例において、水路１２は発電機１８の下流部においてリム給水路１２Ｒとジェット給水路１２Ｊとに分岐しており、それぞれを通じてリム水路５４及びジェット孔５８に洗浄水が供給されるようになっている。
【００４２】
リム給水路１２Ｒ及びジェット給水路１２Ｊのそれぞれには、電気駆動弁としての電磁弁（リム給水弁）１６Ａと電磁弁（ジェット給水弁）１６Ｂとが設けられており、それら電磁弁１６Ａ，１６Ｂによってリム給水路１２Ｒ，ジェット給水路１２Ｊのそれぞれが開閉されるようになっている。
【００４３】
ここで電磁弁１６Ａは、上記図２に示した電磁弁１６と同様の構造のものが用いられており、更に電磁弁１６Ｂとしても同じものが用いられている。
但し電磁弁１６Ｂについては、手動操作部４２を有しておらず、ソレノイドコイル３４への通電による電磁的な吸引力，反発力のみで開閉する形態のものを用いても良い。
【００４４】
この例において、発電機１８で発生した電力は図４に示しているようにコンデンサ２２に充電され、そして各電磁弁１６Ａ，１６Ｂがコンデンサ２２を電源として供給される駆動電力で閉弁駆動される。
【００４５】
また各電磁弁１６Ａ，１６Ｂは、発電機１８における水車２０の回転により発生するパルス数が、それぞれに対応して設定したパルス数に達したところで閉弁駆動される。
即ち、リム給水路１２Ｒを通水する洗浄水の積算流量が設定流量となったところで、電磁弁１６Ａが閉弁作動し、またジェット給水路１２Ｊを通水する洗浄水の積算流量が設定流量に達したところで、電磁弁１６Ｂが閉弁作動させられる。
【００４６】
この例では、図５に示しているように電磁弁１６Ａ，１６Ｂが異なったタイミングで開閉作動させられる。
詳述すると、先ず電磁弁１６Ａを手動操作によって開弁させると、ここにおいて水路１２に水の流れが発生して発電機１８の水車２０が回転運動し、パルスが発生してカウント開始するとともに発電機１８が発電を開始する。
これとともにリム給水路１２Ｒを通じてリム水路５４に洗浄水が供給され、射水孔５６から便器５０内部に洗浄水が勢い良く射水される。
【００４７】
そして電磁弁１６Ａに対応して設定したパルス数に達すると、ここにおいてコントローラ２４により電磁弁１６Ａが閉弁作動させられ、リム給水路１２Ｒを通じてのリム水路５４への給水が停止する。
これと同時に電磁弁１６Ｂが開弁作動して、ジェット給水路１２Ｊを通じてジェット孔５８に洗浄水が供給され、そのジェット孔５８を通じて排水トラップ部６０に洗浄水が勢い良く噴射される。
これによりサイホン作用が助勢されて、便器５０内部の汚水が噴射された洗浄水とともに排出される。
【００４８】
而してジェット孔５８からの洗浄水のジェット噴射が一定時間継続した後、電磁弁１６Ｂに対応して設定したパルス数に達すると、ここにおいて電磁弁１６Ｂが閉弁作動し、そしてこれとともに電磁弁１６Ａが再び開弁作動して、洗浄水の供給がジェット給水路１２Ｊからリム給水路１２Ｒへと切り替えられる。
【００４９】
さてこのようにしてリム給水路１２Ｒを再び設定量の水が流れたところで、再び電磁弁１６Ａが閉弁作動し、ここにおいて１サイクルの便器洗浄が終了する。
尚、以上はあくまで便器の洗浄装置の一例を示したに過ぎないものであって、便器の洗浄装置４８を他の形態で設け、更にまた他のパターンでリム給水路１２Ｒとジェット給水路１２Ｊへの給水を切り替えて便器洗浄を行うようになすことも可能である。
【００５０】
更にまた本例の定量止水装置１０としての便器の洗浄装置４８は、電磁弁１６Ａの閉弁と電磁弁１６Ｂの開弁、更に電磁弁１６Ｂの閉弁と電磁弁１６Ａの開弁とを連動して行い、リム給水とジェット給水とを適正なタイミングで切り替えるもので、これにより便器洗浄を効率的に行うことができる。
【００５１】
以上本発明の実施例を詳述したがこれはあくまで一例示である。
例えば上例では発電機で発生した電力をコンデンサに蓄え、これを電源として電磁弁等の電気駆動弁を閉弁作動させるようにしているが、発電機で発生した電力を直接的に駆動電力として電気駆動弁に供給したり、コンデンサ以外の蓄電手段に電力を蓄え、これを電源として電気駆動弁を閉弁作動させたりすることも可能である。
【００５２】
また図３及び図４の実施例では定量止水装置を便器の洗浄装置として構成した例を示しているが、本発明の定量止水装置は、水栓において一定量吐水したところで吐水を停止するための定量止水装置として、或いは浴槽に一定量の水を貯めるための定量止水装置として、更にはその他種々の給水装置における又は種々の目的のための定量止水装置として適用することも可能であるなど、本発明はその主旨を逸脱しない範囲において種々変更を加えた形態で構成可能である。
【図面の簡単な説明】
【図１】  本発明の一実施例である定量止水装置を示す図である。
【図２】  図１における電磁弁の具体的構成をその作用とともに示す図である。
【図３】  本発明の定量止水装置を便器の洗浄装置として構成した例を示す図である。
【図４】  図３の便器洗浄装置の構成要素のブロック図である。
【図５】  図３及び図４の便器洗浄装置の作動を示すタイムチャートである。
【符号の説明】
１０  定量止水装置
１２  水路
１２Ｒ  リム給水路
１２Ｊ  ジェット給水路
１６  電磁弁
１６Ａ  電磁弁（リム給水弁）
１６Ｂ  電磁弁（ジェット給水弁）
１８  発電機
２０  水車
２２  コンデンサ
２４  コントローラ（制御部）
４８  洗浄装置
５０  便器
５２  リム
５８  ジェット孔
６０  排水トラップ部
【図１】
0003693238.tif 000002
【図２】
0003693238.tif 000003
【図３】
0003693238.tif 000004
【図４】
0003693238.tif 000005
【図５】
0003693238.tif 000006